(57)【要約】【課題】把持体から脱落し難く、把持体への装着が簡単であり、且つ軽量な清掃用払拭体を得る。【解決手段】本発明における清掃用払拭体は、長手状キャンバス部と、清掃用の払拭部と、払拭体把持部を挿通固定するポケット部から構成され、前記長手状キャンバス部はそのキャンバス中央部を折曲点として折畳可能であり、前記長手状キャンバス部の先端部には袋状収納ポケットが形成され、且つ左右の前記袋状収納ポケットから前記キャンバス中央部に向かってポケットが存在しない空白部を介して連通ポケットが形成され、左右の前記連通ポケットの間にポケットが存在しない前記キャンバス中央部が位置し、前記ポケット部が左右の前記袋状収納ポケットと左右の前記連通ポケットから構成される。【選択図】図１
2014193203.tif 000002
【特許請求の範囲】
【請求項１】
長手方向を有した長手状キャンバス部と、前記長手状キャンバス部の下面に形成された清掃用の払拭部と、前記長手状キャンバス部の上面に形成されて払拭体把持部を挿通固定するポケット部から構成され、前記長手状キャンバス部はそのキャンバス中央部を折曲点として前記払拭部を対向させた状態で略同サイズの左側キャンバス部と右側キャンバス部を形成するように折畳可能であり、前記左側キャンバス部と前記右側キャンバス部の先端部の夫々には前記キャンバス中央部に向かって収納開口部を有し前記先端部に向かって周縁を閉鎖した袋状収納ポケットが形成され、且つ左右の前記袋状収納ポケットから前記キャンバス中央部に向かってポケットが存在しない空白部を介して前記長手方向の両端に連通開口部を有した連通ポケットが形成され、左右の前記連通ポケットの間にポケットが存在しない前記キャンバス中央部が位置し、前記ポケット部が左右の前記袋状収納ポケットと左右の前記連通ポケットから構成されることを特徴とする清掃用払拭体。
【請求項２】
左右の前記袋状収納ポケットの前記収納開口部は、前記払拭体把持部の先端が容易に挿通可能な山状収納開口部として形成され、ここで前記山状収納開口部とは前記払拭体把持部を挿入したときに上方に向かって凸状に開口する開口部である請求項１に記載の清掃用払拭体。
【請求項３】
左右の前記連通ポケットの前記連通開口部は、前記払拭体把持部の先端が容易に挿通可能な山状連通開口部として形成され、ここで前記山状連通開口部とは前記払拭体把持部を挿入したときに上方に向かって凸状に開口する開口部である請求項１又は２に記載の清掃用払拭体。
【請求項４】
前記払拭体把持部の中央部の上面にはハンドルが連結可能であり、前記中央部の左右には左側把持部と右側把持部が突設されており、前記左側把持部と前記右側把持部は前記中央部と平行な水平位置から、前記中央部に対して折曲する垂下位置まで回動可能に構成され、前記キャンバス中央部を折曲点として前記清掃用払拭体を折畳し、垂下位置にある前記左側把持部と前記右側把持部の夫々を、左右の前記連通ポケット及び左右の袋状収納ポケットに夫々挿通し、挿通後に前記左側把持部と前記右側把持部を前記水平位置まで回動させて固定する請求項１、２又は３に記載の清掃用払拭体。
【請求項５】
前記払拭体把持部は、中央部の上面にハンドルが連結可能な水平板と、前記水平板の下面中央部に回動軸を介して回動可能に連結された左側回動板と右側回動板からなり、前記左側回動板と前記右側回動板は前記下面中央部と平行な水平位置から、前記下面中央部に対して折曲する垂下位置まで回動可能に構成され、前記キャンバス中央部を折曲点として前記清掃用払拭体を折畳し、垂下位置にある前記左側回動板と前記右側回動板の夫々を、左右の前記連通ポケット及び左右の袋状収納ポケットに夫々挿通し、挿通後に前記左側回動板と前記右側回動板を前記水平位置まで回動させて固定する請求項１、２又は３に記載の清掃用払拭体。
【請求項６】
請求項２に記載の清掃用払拭体において、前記長手状キャンバス部における前記左側キャンバス部と前記右側キャンバス部の先端部の形状が湾曲形であり、前記湾曲形の輪郭は、幅方向線である先端直線と、前記先端部に輪郭を与える先端湾曲周縁から構成され、前記先端直線の直線長さよりも所定長さだけ長く設計された布体直線と、この布体直線の両端から延出し且つ前記先端湾曲周縁に近似する布体湾曲周縁の両者により、袋状布体が輪郭形成され、前記布体湾曲周縁と前記先端湾曲周縁が重なり合うように、前記袋状布体を山状に変形させて前記先端部に重ね合わせて前記布体直線を前記先端直線に対し前記山状収納開口部を形成するように配置し、前記キャンバス部の前記先端湾曲周縁と前記袋状布体の前記布体湾曲周縁を相互に分離しないように接合させて前記山状収納開口部を有する前記袋状収納ポケットを形成することを特徴とする清掃用払拭体の製造方法。
【請求項７】
請求項２に記載の清掃用払拭体において、前記長手状キャンバス部における前記左側キャンバス部と前記右側キャンバス部の先端部の形状が湾曲形であり、前記湾曲形の輪郭は、幅方向線である先端直線と、前記先端部に輪郭を与える先端湾曲周縁から構成され、前記先端直線の直線長さよりも所定長さだけ長く設計された布体直線と、この布体直線の両端から延出し且つ前記先端湾曲周縁に近似する布体湾曲周縁の両者により袋状布体が輪郭形成され、前記布体直線の一部に折畳まれたタック部を形成し且つこのタック部を仮止手段により仮固定した前記袋状布体を形成し、前記布体湾曲周縁を前記先端湾曲周縁に重なるように前記袋状布体を前記先端部に重ね合わせ、前記袋状布体の前記布体湾曲周縁と前記キャンバス部の前記先端湾曲周縁が相互に分離しないように接合させて前記袋状収納ポケットを形成し、その後に前記タック部から前記仮止手段を除去することにより前記山状収納開口部を形成することを特徴とする清掃用払拭体の製造方法。
【請求項８】
前記仮止手段は温湯溶解糸であり、前記接合後に、前記温湯溶解糸を温湯に溶解させて前記仮止手段が除去される請求項７に記載の清掃用払拭体の製造方法。
【請求項９】
前記仮止手段は通常繊維糸であり、前記接合後に、前記通常繊維糸を前記タック部から抜糸することにより前記仮止手段を除去する請求項７に記載の清掃用払拭体の製造方法。
【請求項１０】
前記仮止手段はクリップであり、前記接合後に、前記クリップを前記タック部から取り外すことにより前記仮止手段を除去する請求項７に記載の清掃用払拭体の製造方法。
【発明の詳細な説明】
【技術分野】
【０００１】
本発明は、床面や壁面を清掃するための清掃用具に装着される払拭体に関し、更に詳細には、長手状に構成され、清掃用具における長手状の把持部に装着される払拭体及びこれの製造方法に関する。
【背景技術】
【０００２】
床面などを清掃するための、長柄状のハンドルを有する清掃用具（いわゆるモップ）において、脱着可能な袋状の払拭体を有するものとしては、例えば特開２００５−２７０６３０号公報（特許文献１）には、図１７の（１７Ａ）に図示される通り、両端にポケット部１０６が形成された払拭体１０２が開示されている。図１７の（１７Ｂ）に図示されるとおり、把持部１１４の両端がこれらのポケット部１０６に挿入されることにより、払拭体１０２が把持部１１４に装着され、清掃作業が可能な状態になる。
【０００３】
又、特開２０００−４１９３０号公報（特許文献２）には、図１８に図示される通り、両端に長手状のポケット部２２１を有する払拭体Ｍが図示されている。これらのポケット部２２１に、長手状の把持部２０２が挿入されることにより、清掃用具が完成する。
これらの払拭体及びこれを装着した清掃用具は、企業、病院、学校及び家庭などにおける清掃用途において、有用であることが立証され、利用者から高い評価を得ている。
【先行技術文献】
【特許文献】
【０００４】
【特許文献１】特開２００５−２７０６３０号公報
【特許文献２】特開２０００−４１９３０号公報
【発明の概要】
【発明が解決しようとする課題】
【０００５】
しかし、これらの払拭体については、改善されるべき点がある。特許文献１に開示される払拭体１０２については、ポケット部１０６の長手方向における深さがが比較的浅く、従って把持部１１４のポケット部１０６への挿入が比較的不十分であり、清掃時における払拭体１０２の脱落を生じる可能性がある。
特許文献２に開示される払拭体Ｍにおいては、ポケット部２２１が深く形成されるので、把持部２０２への装着が良好となる。しかし、ポケット部２２１を形成する布片により、払拭体Ｍが重くなり、清掃用具の操作性が低下する。又、深いポケット部２２１への挿入が、把持部２０２の先端がポケット部２２１の内部に引っかかることなどにより、比較的困難となる。
従って、本発明における課題は、把持体から脱落し難く、把持体への装着が簡単であり、且つ軽量な清掃用払拭体を得ることである。
【課題を解決するための手段】
【０００６】
本発明は、上記課題を解決するために為されたものであり、本発明の第１の形態は、長手方向を有した長手状キャンバス部と、前記長手状キャンバス部の下面に形成された清掃用の払拭部と、前記長手状キャンバス部の上面に形成されて払拭体把持部を挿通固定するポケット部から構成され、前記長手状キャンバス部はそのキャンバス中央部を折曲点として前記払拭部を対向させた状態で略同サイズの左側キャンバス部と右側キャンバス部を形成するように折畳可能であり、前記左側キャンバス部と前記右側キャンバス部の先端部の夫々には前記キャンバス中央部に向かって収納開口部を有し前記先端部に向かって周縁を閉鎖した袋状収納ポケットが形成され、且つ左右の前記袋状収納ポケットから前記キャンバス中央部に向かってポケットが存在しない空白部を介して前記長手方向の両端に連通開口部を有した連通ポケットが形成され、左右の前記連通ポケットの間にポケットが存在しない前記キャンバス中央部が位置し、前記ポケット部が左右の前記袋状収納ポケットと左右の前記連通ポケットから構成される清掃用払拭体である。
【０００７】
本発明の第２の形態は、左右の前記袋状収納ポケットの前記収納開口部が、前記払拭体把持部の先端が容易に挿通可能な山状収納開口部として形成され、ここで前記山状収納開口部とは前記払拭体把持部を挿入したときに上方に向かって凸状に開口する開口部と定義する清掃用払拭体である。
【０００８】
本発明の第３の形態は、左右の前記連通ポケットの前記連通開口部が、前記払拭体把持部の先端が容易に挿通可能な山状連通開口部として形成され、ここで前記山状連通開口部とは前記払拭体把持部を挿入したときに上方に向かって凸状に開口する開口部と定義する請求項１又は２に記載の清掃用払拭体である。
【０００９】
本発明の第４の形態は、前記払拭体把持部の中央部の上面にはハンドルが連結可能であり、前記中央部の左右には左側把持部と右側把持部が突設されており、前記左側把持部と前記右側把持部は前記中央部と平行な水平位置から、前記中央部に対して折曲する垂下位置まで回動可能に構成され、前記キャンバス中央部を折曲点として前記清掃用払拭体を折畳し、垂下位置にある前記左側把持部と前記右側把持部の夫々を、左右の前記連通ポケット及び左右の袋状収納ポケットに夫々挿通し、挿通後に前記左側把持部と前記右側把持部を前記水平位置まで回動させて固定する清掃用払拭体である。
【００１０】
本発明の第５の形態は、前記払拭体把持部が、中央部の上面にハンドルが連結可能な水平板と、前記水平板の下面中央部に回動軸を介して回動可能に連結された左側回動板と右側回動板からなり、前記左側回動板と前記右側回動板は前記下面中央部と平行な水平位置から、前記下面中央部に対して折曲する垂下位置まで回動可能に構成され、前記キャンバス中央部を折曲点として前記清掃用払拭体を折畳し、垂下位置にある前記左側回動板と前記右側回動板の夫々を、左右の前記連通ポケット及び左右の袋状収納ポケットに夫々挿通し、挿通後に前記左側回動板と前記右側回動板を前記水平位置まで回動させて固定する清掃用払拭体である。
【００１１】
本発明の第６の形態は、第２の形態の清掃用払拭体において、前記長手状キャンバス部における前記左側キャンバス部と前記右側キャンバス部の先端部の形状が湾曲形であり、前記湾曲形の輪郭は、幅方向線である先端直線と、前記先端部に輪郭を与える先端湾曲周縁から構成され、前記先端直線の直線長さよりも所定長さだけ長く設計された布体直線と、この布体直線の両端から延出し且つ前記先端湾曲周縁に近似する布体湾曲周縁の両者により、袋状布体が輪郭形成され、前記布体湾曲周縁と前記先端湾曲周縁が重なり合うように、前記袋状布体を山状に変形させて前記先端部に重ね合わせて前記布体直線を前記先端直線に対し前記山状収納開口部を形成するように配置し、前記キャンバス部の前記先端湾曲周縁と前記袋状布体の前記布体湾曲周縁を相互に分離しないように接合させて前記山状収納開口部を有する前記袋状収納ポケットを形成する清掃用払拭体の製造方法である。
【００１２】
本発明の第７の形態は、第２の形態の清掃用払拭体において、前記長手状キャンバス部における前記左側キャンバス部と前記右側キャンバス部の先端部の形状が湾曲形であり、前記湾曲形の輪郭は、幅方向線である先端直線と、前記先端部に輪郭を与える先端湾曲周縁から構成され、前記先端直線の直線長さよりも所定長さだけ長く設計された布体直線と、この布体直線の両端から延出し且つ前記先端湾曲周縁に近似する布体湾曲周縁の両者により袋状布体が輪郭形成され、前記布体直線の一部に折畳まれたタック部を形成し且つこのタック部を仮止手段により仮固定した前記袋状布体を形成し、前記布体湾曲周縁を前記先端湾曲周縁に重なるように前記袋状布体を前記先端部に重ね合わせ、前記袋状布体の前記布体湾曲周縁と前記キャンバス部の前記先端湾曲周縁が相互に分離しないように接合させて前記袋状収納ポケットを形成し、その後に前記タック部から前記仮止手段を除去することにより前記山状収納開口部を形成する清掃用払拭体の製造方法である。
【００１３】
本発明の第８の形態は、前記仮止手段が温湯溶解糸であり、前記接合後に、前記温湯溶解糸を温湯に溶解させて前記仮止手段が除去される清掃用払拭体の製造方法である。
【００１４】
本発明の第９の形態は、前記仮止手段が通常繊維糸であり、前記接合後に、前記通常繊維糸を前記タック部から抜糸することにより前記仮止手段を除去する清掃用払拭体の製造方法である。
【００１５】
本発明の第１０の形態は、前記仮止手段がクリップであり、前記接合後に、前記クリップを前記タック部から取り外すことにより前記仮止手段を除去する清掃用払拭体の製造方法である。
【発明の効果】
【００１６】
本発明の第１の形態によれば、本形態の清掃用払拭体における前記長手状キャンバス部の、前記左側キャンバス部と前記右側キャンバス部の先端部の夫々には、前記キャンバス中央部に向かって収納開口部を有し前記先端部に向かって周縁を閉鎖した袋状収納ポケットが形成され、且つ左右の前記袋状収納ポケットから前記キャンバス中央部に向かってポケットが存在しない空白部を介して前記長手方向の両端に連通開口部を有した連通ポケットが形成され、左右の前記連通ポケットの間にポケットが存在しない前記キャンバス中央部が位置し、前記ポケット部が左右の前記袋状収納ポケットと左右の前記連通ポケットから構成されるので、このポケット部に前記払拭体把持部を挿入することにより、これらの袋状収納ポケットと連通ポケットの前記把持部との高面積に亘る接触により、摩擦、掛合、押圧や狭圧などの作用が発生し、前記清掃用払拭体が前記払拭体把持部により強固に固定されるので、前記清掃用払拭体が使用中に脱落することがなく、頑丈な清掃用具を得ることができる。
この高面積に亘るポケット部と払拭体把持部の摩擦、掛合、押圧や挟圧などによる固定保持作用は、ポケット部が長手状に形成されることにより可能となるが、このポケット部を袋状収納ポケットと連通ポケットに分割することにより、ポケット部を形成する為に必要な生地を節約でき、従って安価な製造が可能となり、また前記清掃用払拭体の軽量化を図ることができる。
本発明における長手状キャンバス部及びポケット部の素材としては、強固な布体であり、柔軟性を有するキャンバスが使用できるが、その他にも熱融着性を有する織糸を重ね合わせて融着させた融着布や、柔軟なゴムシート又はプラスチックシートも使用できる。又、本発明における払拭部は、パイルが好ましいが、その他にもスポンジ、フェルト、ブラシなども使用できる。
【００１７】
本発明の第２の形態によれば、、左右の前記袋状収納ポケットの前記収納開口部が、前記払拭体把持部の先端が容易に挿通可能な山状収納開口部として形成されるので、前記清掃用払拭体の前記把持部への装着が簡易化され、前記清掃用払拭体の交換が簡単となる。ここにおいては、前記山状収納開口部とは前記払拭体把持部を挿入したときに上方に向かって凸状に開口する開口部と定義されるので、この凸状に開口する開口部に前記払拭体把持部の先端が挿入され易い。
従来の払拭体における把持部挿入用のポケットは、平状のキャンバス生地に、やはり平状の布体を縫合することにより形成されるので、この払拭体に把持部を挿入する際に、ポケット開口部の開口度が低く、従ってこの把持体の挿入が困難であった。本形態の山状収納開口部により、常時に開口される収納開口部が可能となり、払拭体把持部の挿入の際に、この収納開口部を強制的に広げる必要が無くなる。但し、本形態においては、この収納開口部が常時に開口される必要は無く、単に払拭体把持部の先端と接触することにより簡単に開口できれば良い。
本形態における、常時に開口される又は簡単に開口できる開口部は、本発明の収納開口部への応用において、顕著な効果を示す。本発明においては、把持部を清掃用払拭体に挿入する際に、片手で払拭体把持部を支持し、残る片手で、逆Ｖ字型に折り曲げられた清掃用払拭体を支持する。この払拭体把持部の先端を連通ポケットに挿入する際には、この先端の動作自由度が高く、従ってこの先端を連通開口部の方向へ比較的簡単に移動させ、この先端を連通開口部に接触させることができるので、この接触によりこの連通開口部を比較的簡単に拡張することができる。従って、連通開口部は、事前に拡張形成されなくても良いし、特別に拡張容易である必要も無い。その反面、この把持部を連通ポケットに挿入した状態においては、この連通ポケットにより把持部先端の動作自由度が減ってしまう。また、清掃用払拭体の柔軟性により、この払拭体の先端が垂れ下がってしまい、収納開口部が把持部と整列しなくなる。これらの理由により、この把持部の先端を接触させることのみにより収納開口部を強制的に拡張することが難しくなる。この様な状態においては、この収納開口部が事前に拡張されている又は拡張され易いことが、この把持部をこのポケット部全体において挿入する為に重要となり、この拡張が本形態の意義となる。
【００１８】
本発明の第３の形態によれば、左右の前記連通ポケットの前記連通開口部が、前記払拭体把持部の先端が容易に挿通可能な山状連通開口部として形成されるので、前記清掃用払拭体の前記把持部への装着が更に簡易化される。ここにおいて、前記山状連通開口部とは前記払拭体把持部を挿入したときに上方に向かって凸状に開口する開口部と定義されるので、この凸状に開口する開口部に前記払拭体把持部の先端が挿入され易い。
第２の形態の説明において記述したとおり、常時に拡張開口される又は簡単な操作により拡張開口され易い山状開口部の形状は、収納開口部において最も有効である。しかし、連通開口部を山状連通開口部として形成することにより、前記把持部をより容易に前記ポケット部に挿入することができる。この様な山状連通開口部の形状は、前記キャンバス中央部に近い方の連通開口部（ポケット開口部）に応用することにより、把持体挿入の容易性が最も高くなる。また、本形態においても、開口部が常時に開口される必要は無く、単に払拭体把持部の先端と接触することにより簡単に開口できれば良い。
【００１９】
本発明の第４の形態によれば、前記払拭体把持部の前記中央部の左右には左側把持部と右側把持部が突設されており、前記左側把持部と前記右側把持部は前記中央部と平行な水平位置から、前記中央部に対して折曲する垂下位置まで回動可能に構成されるので、垂下位置にある前記左側把持部と前記右側把持部の夫々を、折畳された前記清掃用払拭体の左右の前記ポケット部に夫々挿通することができ、従って前記清掃用払拭体を簡単に前記把持部に装着することができる。
本形態における払拭体把持部の材質は、軽量で頑丈なプラスチックが好ましいが、その他にも金属や材木も使用できる。又、本形態における左側把持部と右側把持部の断面は、円形、楕円型、長方形、正方形、菱形、三角形、逆三角形など、様々な形状が使用でき、用途に応じて選択できる。更に本形態における払拭体把持部は、左側把持部と右側把持部を、水平位置にロックできるロック機構を有することが好ましい。
【００２０】
本発明の第５の形態によれば、前記払拭体把持部が、前記水平板と、前記水平板の下面中央部に回動軸を介して回動可能に連結された左側回動板と右側回動板からなり、前記左側回動板と前記右側回動板は前記下面中央部と平行な水平位置から、前記下面中央部に対して折曲する垂下位置まで回動可能に構成されるので、垂下位置にある前記左側回動板と前記右側回動板の夫々を、折畳された前記清掃用払拭体の左右の前記ポケット部に夫々挿通することができ、従って第４の形態と同様に、前記清掃用払拭体を簡単に前記把持部に装着することができる。更に、挿通後に前記左側回動板と前記右側回動板を前記水平位置まで回動させて固定する際に、前記ポケット部が前記水平板と前記左側回動板又は前記右側回動板の間に狭持されるので、この狭持により前記清掃用払拭体が前記把持部に強固に装着される。
第４の形態と同様に、本形態における払拭体把持部の材質は、軽量で頑丈なプラスチックが好ましいが、その他にも金属や材木も使用できる。又、更に本形態における払拭体把持部は、左側回動板と右側回動板を、水平位置にロックできるロック機構を有することが好ましい。
【００２１】
本発明の第６の形態によれば、前記清掃用払拭体の製造方法において、前記布体湾曲周縁と前記先端湾曲周縁が重なり合うように、前記袋状布体を山状に湾曲変形させて前記先端部に重ね合わせて前記布体直線を前記先端直線に対し前記山状収納開口部を形成するように配置し、前記キャンバス部の前記先端湾曲周縁と前記袋状布体の前記布体湾曲周縁を相互に分離しないように接合させて前記山状収納開口部を有する前記袋状収納ポケットを形成するので、既存する製造施設を使用して、第２の形態における、前記山状収納開口部を有する清掃用払拭体を製造することができる。
本形態における袋状布体としては、融着布やキャンバスが好ましいが、ゴムシートやプラスチックシートなども使用できる。本形態における袋状布体と先端部の接合は、テープ、縫糸又はこれらの組合せが好ましいが、その他にも熱融着や接着剤接合なども使用できる。本形態において、前記袋状布体を湾曲して変形させる手段としては、例えば製造工程を行っている作業員の手などがあるが、その他にも、ロボットのアームや、専用のクリップなどを使用しても良い。
【００２２】
本発明の第７の形態によれば、前記清掃用払拭体の製造方法において、前記布体直線の一部に折畳まれたタック部を形成し且つこのタック部を仮止手段により仮固定した前記袋状布体を形成し、前記布体湾曲周縁を前記先端湾曲周縁に重なるように前記袋状布体を前記先端部に重ね合わせ、前記袋状布体の前記布体湾曲周縁と前記キャンバス部の前記先端湾曲周縁が相互に分離しないように接合させて前記袋状収納ポケットを形成し、その後に前記タック部から前記仮止手段を除去することにより前記山状収納開口部を形成するので、前記タック部及び前記仮止手段により予め湾曲変形された前記袋状布体を前記先端部に配置した後に、これらの湾曲周縁を接合することにより、前記山状収納開口部を形成することができ、従って接合時点において、前記袋状布体の変形状態を保持する為にこの袋状布体を把持する必要が省かれ、製造工程が簡易化される。本形態における仮止手段の具体例としては、第８〜１０の形態において記述する。
又、第６の形態と同様に、本形態における袋状布体としては、融着布やキャンバスが好ましいが、ゴムシートやプラスチックシートなども使用できる。更に、だい６の形態と同様に、本形態における袋状布体と先端部の接合は、テープ、縫糸又はこれらの組合せが好ましいが、その他にも熱融着や接着剤接合なども使用できる。
【００２３】
本発明の第８の形態によれば、前記仮止手段が温湯溶解糸であり、前記接合後に、前記温湯溶解糸を温湯に溶解させて前記仮止手段が除去されるので、布製払拭体の製造に使用される縫合装置を応用して、簡単に前記タック部を仮固定でき、また前記袋状収納ポケット形成後に、熱湯のみを使用することにより簡単に前記仮止手段を除去できる。本形態における温湯溶解糸としては、ソルブロン（登録商標）やビニロンなどの水溶性繊維が使用できる。
【００２４】
本発明の第９の形態によれば、前記仮止手段が通常繊維糸であり、前記接合後に、前記通常繊維糸を前記タック部から抜糸することにより前記仮止手段を除去するので、第８の形態と同様に、布製払拭体の製造に使用される縫合装置を応用して、簡単に前記タック部を仮固定できる。また、この縫合装置において通常に使用する縫糸も応用できる。従って、既存する製造施設及び製造材料を使用して、山状収納開口部を有する清掃用払拭体が得られる。
【００２５】
本発明の第１０の形態によれば、前記仮止手段がクリップであり、前記接合後に、前記クリップを前記タック部から取り外すことにより前記仮止手段を除去するので、入手簡単且つ着脱容易なクリップを仮止手段として使用でき、山状収納開口部を有する清掃用払拭体の製造が容易となる。
【図面の簡単な説明】
【００２６】
【図１】本発明の実施形態に係る清掃用払拭体の概略斜視図である。
【図２】本発明の実施形態において、袋状布体を仮止して山状輪郭を形成させた状態を示す斜視図である。
【図３】本発明の実施形態において、山状輪郭が保持された状態で、袋状布体が長手状キャンバス部の先端部に配置される直前の状態を示す概略部分斜視図である。
【図４】本発明の実施形態において、袋状布体が先端部に接合された状態を示す概略部分斜視図である。
【図５】本発明の実施形態において、袋状布体の接合後に仮止手段（温湯溶解糸）が除去された状態を示す概略部分斜視図である。
【図６】本実施形態の変形例１において、袋状布体と先端部を部分的に重ね合わせた状態を示す概略部分上面図である。
【図７】図６に図示される変形例１において、袋状布体を湾曲変形させて、袋状湾曲周縁と先端湾曲周縁を重ね合わせた状態を示す概略部分斜視図である。
【図８】本発明の実施形態に係る清掃用払拭体の上面図である。
【図９】本発明の実施形態において、清掃用払拭体が外され且つ回動板が水平位置に保持された払拭体把持部の正面図である。
【図１０】図９に図示される払拭体把持部の回動板を垂下位置に回動させた把持部の斜視図である。
【図１１】図１０に図示される払拭体把持部において、折畳された清掃用払拭体のポケット部に回動板が挿入された状態を示す斜視図である。
【図１２】図１１に図示される払拭体把持部において、回動板を水平位置に回動させて、清掃用払拭体を把持部に固定させた状態を示す斜視図である。
【図１３】図１２に図示される払拭体把持部にハンドルを装着することにより構成された清掃用具の概略正面図（１３Ａ）及び概略側面図（１３Ｂ）である。
【図１４】本実施形態の変形例２において、中央部の左右に左側把持部と右側把持部が突設された払拭体把持部の概略正面図である。
【図１５】垂下状態にある図１４の払拭体把持部と、折り畳まれた図１の清掃用払拭体の概略正面図（１５Ａ）及びこの清掃用払拭体がこの払拭体把持部に取り付けられた状態を示す概略正面図（１５Ｂ）である。
【図１６】清掃用払拭体の概念的Ａ−Ａ断面図（１６Ａ〜１６Ｄ）及び払拭体把持部が挿入された清掃用払拭体の概略Ｂ−Ｂ断面図（１６Ｅ）である。
【図１７】特許文献１における従来の払拭体の上面図（１７Ａ）及びこの払拭体を装着した把持部の概略斜視図（１７Ｂ）である。
【図１８】特許文献２における従来の払拭体を装着した把持部の正面図である。
【発明を実施するための形態】
【００２７】
以下において、本発明に係る清掃用払拭体及びこれを装着する把持部の実施の形態を、添付する図面に従って詳細に説明する。
図１は、本発明の実施形態に係る清掃用払拭体の概略斜視図である。長手状の形状を有する長手状キャンバス部２の下面には、払拭部４が形成される。図１においては、この払拭部はパイルである。しかし、例えば、スポンジ、布やブラシなども使用できる。
長手状キャンバス部２は、略対称性を有する左側キャンバス部８と右側キャンバス部１０により構成され、長手方向の中央部が、キャンバス中央部６を構成する。キャンバス中央部６は柔軟性を有し、清掃用払拭体１が折れ曲がる際に、このキャンバス中央部６が折曲点として作用し、左側キャンバス部８と右側キャンバス部１０の境界となる。
左側キャンバス部８と右側キャンバス部１０の各々にはポケット部２６が形成される。これらのポケット部２６は袋状収納ポケット１６と連通ポケット２２に分断され、これらの間に、ポケットが存在しない空白部４８が形成される。又、左右のポケット部２６の間におけるキャンバス中央部６には、ポケットが存在しない。従って、キャンバス中央部６は良好な柔軟性を有し、前記把持部の清掃用払拭体１のポケット部２６への挿入において、この清掃用払拭体１を折り曲げることにより、この挿入を容易にする。
【００２８】
袋状収納ポケット１６は、長手状キャンバス部２の左右の先端である先端部１２に形成され、袋状布体１４がこの袋状収納ポケット１６の上面を形成する。この袋状収納ポケット１６においては、長手方向の先端に向かって周縁が閉鎖され、キャンバス中央部６に向かって、収納開口部１８が形成される。この収納開口部１８は、前記把持部の挿入の為に、山状収納開口部として、常に開口状態を保持していることが好ましい。この収納開口部１８の山状形状は、清掃用払拭体１の製造時において形成され、図２〜５の説明において、この製造方法を詳細に説明する。
連通ポケット２２は、キャンバス中央部６からやや離れた位置に配置され、、袋状収納ポケット１６とは、空白部４８を形成するように構成されている。この連通ポケット２２においては、連通部布体２０が上面を形成している。この連通ポケット２２は、長手方向の両側に開放された筒状であり、長手方向の両端に連通開口部２０が形成されている。キャンバス中央部６に近い方の連通開口部２０が、ポケット開口部となり、このポケット開口部から、前記把持部がポケット部２６に挿入される。
【００２９】
図２〜５は、本発明の第１の形態において、袋状収納ポケット１６の収納開口部１８を、山状収納開口部として形成させる工程を図示したものであり、図２は、袋状収納ポケット１６の上面を形成する袋状布体１４を仮止して、山状輪郭３８を形成させた状態を示す。
図２〜５における袋状布体１４の輪郭は、布体直線２８と布体湾曲周縁３０からなり、この輪郭形状が、長手状キャンバス部２の先端よりも幅方向に若干広くなるように構成されている。
図２の（２Ａ）及び（２Ｂ）においては、仮止手段により、袋状布体１４の布体直線２８付近を一部折り畳むことにより、タック部３６（折り目）を形成させる。このタック部３６により、布体直線２８が、上方に向かって凸状となる山状輪郭３８を形成する。（２Ａ）においては、仮止手段は温湯溶解糸３２であり、タック部３６がこの糸の縫い目により固定される。完成した製品を温湯などに浸漬させることにより、温湯溶解糸３２を溶解させて除去する。また、（２Ｂ）においては、仮止手段はクリップ３４であり、クリップ３４によりタック部３６を狭持して固定する。クリップ３４はいつでも取り外せることができ、勿論再使用可能である。
【００３０】
図３は、山状輪郭２８が保持された状態で、袋状布体１４が長手状キャンバス部２の先端部１２に配置される直前の状態を示す。ここにおける袋状布体１４は、図２の（２Ａ）のものであり、温湯溶解糸３２を仮止手段としている。
袋状布体１４が、温湯溶解糸３２によるタック部３６の形成により、山状形状３８が保持された状態にあり、この袋状布体１４が左側キャンバス部８の先端に設けられた先端部１２の上面に配置される。（右側キャンバス部１０においても、同様な袋状布体１４が配置される。）
この先端部１２の輪郭は先端湾曲周縁４２であり、この先端湾曲周縁４２と、袋状布体１４の布体湾曲周縁３０が重なり合うように、袋状布体１４が先端部１２の上面に設置される。この袋状布体１４の輪郭形状は、先端部１２よりも所定だけ幅方向に広く構成されているので、布体直線２８は、先端部１２の幅方向線である先端直線４４の直線長さよりも所定長さだけ長く形成され、この布体直線２８が山状輪郭３８を形成することにより、この布体直線２８の両端が形成する弦線が、この先端直線４４と略同じ長さ又はそれに近似する長さとなる。その一方、布体湾曲周縁３０の弧長は、先端湾曲周縁４２の弧長と略同じ又はそれに近似する。従って、袋状布体１４が先端部１２に配置されることにより、布体湾曲周縁３０と先端湾曲周縁４２が、重なり合うように配置される。この配置状態において、図４に図示される通り、キャンバス部６の周辺全体に縁テープ４０が取り付けられ、縫合される。
【００３１】
図４は、袋状布体１４が先端部１２に固着された状態を示す。縁テープ４０が縫い目４６により固定され、この縫い目が、袋状布体１４の布体湾曲周縁３０と、先端部１２の先端湾曲周縁４２を固着する。図４に図示される工程により、袋状収納ポケット１６が完成し、収納開口部１８が、山状輪郭３８を有する布体直線２８と、先端直線４４により形成され、上方に凸部が形成される山状収納開口部となる。先端湾曲周縁４２と先端直線４４が湾曲形４５を輪郭形成し、この湾曲形４５が袋状収納ポケット１６の下面を構成する。
【００３２】
図５は、袋状布体の固着後に仮止手段（温湯溶解糸３２）が除去された状態を示す。図２の説明において記述したとおり、この温湯溶解糸３２は、温湯などの比較的高温状態において溶解除去される。この除去により、タック部３６の形状が解除されるが、山状収納開口部の形状は維持され、この収納開口部１８に把持体が挿入され易い状態となる。
尚、図２〜５の製造方法において、仮止手段として、温湯溶解糸３２の代わりに、通常の縫糸を使用しても良い。この場合には、袋状収納ポケットが形成された後に、この縫糸を抜糸する必要があるが、製造現場において広く使用されている縫糸を使用できるので、簡便性を有する。
又、連通開口部２４を、山状連通開口部として、開口状態を常時に維持するように形成しても良い。この山状連通開口部の形成方法としては、本発明における山状収納開口部の形成方法が応用できる。
【００３３】
図６及び図７は、本実施形態の変形例１を示す。この変形例１においては、仮止手段は使用されない。その代わりに、図２〜５において図示された袋状布体１４と同様の袋状布体１４を、先端部１２の上面に配置し、布体湾曲周縁３０と先端湾曲周縁４２を重ね合わせながら、固着手段（例えば縁テープ４０と縫い目４６）により固着し、この固着が完了した時点において、収納開口部１８が、山状収納開口部の形状を維持した状態で完成される。この製法においては、仮止手段を必要とせず、この仮止工程が省略される。
図６は、本実施形態の変形例１において、袋状布体１４と先端部１２を部分的に重ね合わせた状態を示す概略部分上面図である。袋状布体１４は先端部１２よりも幅広に形成され、従って布体直線２８の長さは先端部１２の幅（即ち先端直線４４の長さ）よりも長い。その一方、布体湾曲周縁３０の弧長は、先端湾曲周縁４２の弧長とほぼ同じである。従って、袋状布体１４を中心軸と平行に折り曲げることにより、布体湾曲周縁３０と先端湾曲周縁４２を重ね合わすことができる。
図７は、この変形例１において、袋状布体１４を湾曲変形させて、布体湾曲周縁３０と先端湾曲周縁４２を重ね合わせた状態を示す概略部分斜視図である。ここにおいては、袋状布体１４の布体直線２８は、保持手段（例えば手）により山状輪郭３８を形成しているが、この保持手段が解除されると（例えば手が離されると）、布体直線２８が再度直線状になってしまう。従って、袋状布体１４が保持手段により折り曲げられた状態で、布体湾曲周縁３０と先端湾曲周縁４２を接合閉鎖して、山状収納開口部の形状を保つ必要がある。図７においては縁テープ４０が図示され、この縁テープ４０が布体湾曲周縁３０と先端湾曲周縁４２を接合状態で貼り付け、この縁テープ４０の上から縫い目４６が施されて、袋状布体１４と先端部１２が縫合固定される。この変形例１における完成後の袋状収納ポケット１６及び収納開口部１８の形状は、図５に図示される形状と同じである。
【００３４】
図８〜１２においては、把持部に、本発明の実施形態における清掃用払拭体１を装着する工程を示す。図８は清掃用払拭体１の上面図であり、図１における構成部分が示される。
又、図９は、清掃用払拭体１が外され且つ回動板が水平位置に保持された把持部５２を示す。この把持部５２は、長手形状を有する水平板５４と、この水平板５４の中央部７４における下面中央付近に、回動軸６４を介して回動可能に連結された左側回動板６０と右側回動板６２を有する。これらの回動板６０，６２は、図９においては、水平位置に配置され、後程に図８の説明において記述されるように、水平板５４に装備されるスライド係合部６８と、回動板６０，６２に配置される係合突起７０との係合により、この水平位置に保持される。
尚、水平板５４の中央部７４においては、ハンドル連結部５６が配置され、この連結部５６に挿入されるハンドルが長手方向に回動可能となっているが、ハンドルが幅方向に回動可能となっても良いし、またハンドルが固定状態となってもよい。
【００３５】
図１０は、図９に図示される把持部の回動板６０，６２を垂下位置に回動させた把持部５２を示す。水平板５４の上面中心部付近に配置された２つのスライドボタン６６を、中心に向かって作動させることにより、これらのスライドボタン６６に連結されたスライド係合部６８が移動して、スライド係合部６８と係合突起７０との係合状態が解除される。左側回動板６０及び右側回動板６２は、重力により、垂下位置に回動する。この垂下位置にある回動板６０，６２の各々が、清掃用払拭体１のポケット部２６の各々に挿入される。
【００３６】
図１１は、図１０に図示される把持部５２において、折畳された清掃用払拭体１のポケット部２６に回動板６０，６２が挿入された状態を示す。本実施形態における清掃用払拭体１は、キャンバス中央部６においてポケット部が形成されていないので、このキャンバス中央部６の柔軟性が高い。従って、このキャンバス中央部６を折曲点として、清掃用払拭体１を容易に折り曲げることができる。折曲状態においては、清掃用払拭体１の払拭部４（例えばパイル）が対向する状態となり、この折曲点が、長手状キャンバス部２における左側キャンバス部８と右側キャンバス部１０の境界となる。
垂下状態にある左側回動板６０と右側回動板６２が、清掃用払拭体１の、袋状収納ポケット１６と連通ポケット２２からなるポケット部２６に挿入される。まず折曲点に最も近い連通開口部２４に、回動板６０，６２の先端が挿入され、これらの回動板先端が、袋状収納ポケット１６に近い連通開口部２４から送出される。これらの回動板先端が、空白部４８を経て、収納開口部１８に挿入される。これらの先端が、閉鎖された袋状収納ポケット１６の先端において止まった時点で、回動板６０，６２のポケット部２６への挿入が完了する。
回動板６０，６２が連通ポケット２２のみに挿入された状態において、収納開口部１８がの開口状態が不十分である場合には、これらの収納開口部１８を強制的に拡張する必要があるが、片手で把持部５２を把持し、残る片手により清掃用払拭体１を把持した状態においては、収納開口部１８の拡張が困難となる。従って、収納開口部１８が、予め開口された状態にあることが好ましく、例えば図４及び５に図示される山状収納開口部の形状を有するものが好ましい。
【００３７】
図１２は、図１１に図示される把持部５２において、回動板６０，６２を水平位置に回動させて、清掃用払拭体１を把持部５２に固定させた状態を示す。図１１に図示されているとおり、清掃用払拭体１の空白部４８は、回動板６０，６２の係合突起７０の位置と一致するように配置されるので、係合突起７０のポケット部２６による被覆が回避され、これらの係合突起７０の、スライド係合部６８との係合が可能になる。従って、図１１に図示された把持体５２の左側回動板６０及び右側回動板６２が水平状態に回動されることにより、スライド係合部６８と係合突起７０との係合により、これらの回動板６０，６２が水平状態にロックされて保持される。図８の状態においては、袋状収納ポケット１６の袋状布体１４及び連通ポケット２２の連通部布体２０が、水平板５４と回動板６０，６２の間において強固に狭持され、従って清掃用払拭体１の把持部５２への固定が強固となる。
図１３は、図１２に図示される払拭体把持部５２にハンドル７２を装着することにより構成された清掃用具８２の概略正面図（１３Ａ）及び概略側面図（１３Ｂ）である。この清掃用具８２においては、払拭の為の清掃用払拭体１が装備され、また使用者による把持の為のハンドル７２が装着されるので、このまま床面などの清掃作業に使用できる。
【００３８】
図１４は、本実施形態の変形例２において、中央部７４の左右に左側把持部７６と右側把持部７８が突設された払拭体把持部５２の概略正面図である。図９〜１３に図示される払拭体把持部５２と同様に、中央部７４の上部にハンドル連結部５６及びハンドル回動部５８が装備され、ハンドルが連結可能となっている。しかし、この変形例２においては、払拭体把持部５２の左右における構造が異なる。即ち、この払拭体把持部５２においては、垂下可能な左側把持部７６と右側把持部７８が、左右構造の全体を占める。これらの把持部７６、７８は、回動部６４を介して中央部７４に回動可能に接続され、ロックボタン８０が作動されることにより、これらの把持部７６、７８のロックが解除され、図１５の（１５Ａ）に図示される通り、左側把持部７６と右側把持部７８の全体が回動して重力により垂下する。
図１５の（１５Ａ）には、キャンバス中央部６を折畳点として、払拭部４が対向するように折り畳まれた清掃用払拭体１も図示され、この状態にある清掃用払拭体１に、垂下状態にある払拭体把持部５２が、矢印ａの方向に挿入される。即ち、左側把持部７６と右側把持部７８の各々が、清掃用払拭体１における各々の連通ポケット２２及び袋状収納ポケット１６に挿入され、この挿入状態において左側把持部７６と右側把持部７８が水平位置に回動される。この水平位置において、左側把持部７６と右側把持部７８がロックされてこの水平状態に固定される。この状態で、清掃用払拭体１が払拭体把持部５２に、払拭可能な状態で装着される。
【００３９】
図１６の（１６Ａ〜１６Ｄ）においては、図１５の（１５Ａ）における清掃用払拭体１の袋状収納ポケット１６の、概念的Ａ−Ａ断面図を示す。これらの断面図は、この断面付近における、山状収納開口部の形状を示すものでもある。図１６の（１６Ａ〜１６Ｄ）の内、（１６Ａ）、（１６Ｂ）及び（１６Ｄ）においては、収納開口部１８が上方に向かって凸状に開口しているので、払拭体把持部５２の挿入が容易である。ここにおける凸状は、（１６Ａ）の様な略円形でも良いし、（１５Ｄ）の様に角度を有するものでも良い。また、（１６Ｂ）の様に、タック部３６の痕跡が残るものでも差し支えない。
又、（１６Ｃ）においては、収納開口部１８が部分的に陥没しているが、この収納開口部１８に払拭体把持部５２を挿入することにより、（１６Ｅ）に図示される通り、この開口部が上方に向かって凸状に開口する。
図１６の（１６Ｅ）は、図１５の（１５Ｂ）において、払拭体把持部５２の左側把持部７６が挿入された清掃用払拭体１の袋状収納ポケット１６の概略Ｂ−Ｂ断面図である。図１６の（１６Ａ〜１６Ｄ）における収納開口部１８の形状が様々なものであるが、払拭体把持部５２が挿入された状態においては、全て上方に向かって凸状に開口する。従って、払拭体把持部５２の先端により収納開口部１８を開口させることが容易となり、清掃用払拭体１の払拭体把持部５２への取付が簡単となる。
【産業上の利用可能性】
【００４０】
本発明に係る清掃用払拭体を用いることにより、清掃用具における払拭体の交換が簡単となり、またこの清掃用払拭体の形状により、この清掃用具の把持部への装着が強固となるので、頑丈な清掃用具を提供できる。又、本発明における払拭体保持具の製造方法を用いることにより、これらの長所を有する清掃用払拭体を安価且つ大量に生産できる。従って、企業、病院、学校及び家庭などにおける清掃用途において、本発明の清掃用払拭体を用いる清掃用具を市場に広めることができる。
【符号の説明】
【００４１】
１    清掃用払拭体
２    長手状キャンバス部
４    払拭部
６    キャンバス中央部
８    左側キャンバス部
１０    右側キャンバス部
１２    先端部
１４    袋状布体
１６    袋状収納ポケット
１８    収納開口部
２０    連通部布体
２２    連通ポケット
２４    連通開口部
２６    ポケット部
２８    布体直線
３０    布体湾曲周縁
３２    温湯溶解糸
３４    クリップ
３６    タック部
４０    縁テープ
４２    先端湾曲周縁
４４    先端直線
４６    縫い目
４８    空白部
５２    払拭体把持部
５４    水平板
５６    ハンドル連結部
５８    ハンドル回動部
６０    左側回動板
６２    右側回動板
６４    回動軸
６６    スライドボタン
６８    スライド係合部
７０    係合突起
７２    ハンドル
７４    中央部
７６    左側把持部
７８    右側把持部
８０    ロックボタン
８２    清掃用具
１０２    払拭体
１０４    キャンバス部
１０６    ポケット部
１０８    払拭部
１１０    モップ保持具
１１２    ハンドル
１１３    ハンドル回動部
１１４    把持部
１１４ａ  先端部
１１５    グリップ
１１６    折曲部
２０２    把持部
２０５    ハンドル
２２０    キャンバス部
２２１    ポケット部
２２１ａ  ポケット開口部
２２２    パイル糸
Ｍ    払拭体
【図１】
2014193203.tif 000003
【図２】
2014193203.tif 000004
【図３】
2014193203.tif 000005
【図４】
2014193203.tif 000006
【図５】
2014193203.tif 000007
【図６】
2014193203.tif 000008
【図７】
2014193203.tif 000009
【図１３】
2014193203.tif 000010
【図１４】
2014193203.tif 000011
【図１５】
2014193203.tif 000012
【図１６】
2014193203.tif 000013
【図１７】
2014193203.tif 000014
【図１８】
2014193203.tif 000015
【図８】
2014193203.tif 000016
【図９】
2014193203.tif 000017
【図１０】
2014193203.tif 000018
【図１１】
2014193203.tif 000019
【図１２】
2014193203.tif 000020